(57)【特許請求の範囲】
【請求項１】
水供給栓と水処理器とに接続して、水供給栓から供給される水の流れを切り替える弁装置であって、上面に前記水供給栓に接続される原水流入口が設けられ、中央部に水平な軸線を有する円形状の弁室を設け且つ、取水口、水処理器へ給水する給水口、水処理器より受水する受水口、原水ストレート用出水口、原水シャワー用出水口、処理水ストレート用出水口、処理水シャワー用出水口および逆洗排水口を有する弁箱と、前記弁箱の前記弁室に回動自在に設けられ、前記弁箱の取水口と常時連通する取水孔、前記取水孔と連通して、原水を内部に常時流通させる原水流通部を有し且つ、前記原水流通部と連通した給水孔、前記原水流通部とを管壁にて分離して設けられた処理水通路、その処理水通路の端部に設けられた再入孔および再出孔を有する筒状の弁と、この弁に連結して弁を回動操作するハンドルとを具備し、前記弁は前記ハンドルに回動されて、前記水供給栓から供給される水を前記弁箱の原水ストレート用出水口より出水させる原水ストレート位置と、前記水を原水シャワー用出水口より出水させる原水シャワー位置と、前記水を水処理器に順方向に流して前記弁箱の処理水ストレート用出水口および処理水シャワー用出水口より出水させる処理水ストレート位置および処理水シャワー位置と、前記水を水処理器に逆方向に逆流して前記弁箱の逆洗排水口より排水する逆洗位置とに夫々位置され、前記弁の取水孔は、前記位置で常時前記弁箱の取水口と連通し、前記弁の原水流通部は、前記位置で常時原水を流通し、前記原水流通部と連通した給水孔は、前記弁が原水ストレート位置にある時に前記弁箱の原水ストレート用出水口に、前記弁が原水シャワー位置にある時に前記弁箱の原水シャワー用出水口に、前記弁が処理水ストレート位置および処理水シャワー位置にある時に前記弁箱の、水処理器に接続している給水口に、逆洗位置にある時に前記弁箱の、水処理器に接続している受水口に、原水を給水する位置に夫々分散配置され、前記弁の処理水通路の端部に有る再入孔は、前記弁が処理水ストレート位置および処理水シャワー位置にある時に前記弁箱の受水口に連通し、逆洗位置にある時に前記弁箱の給水口に連通して処理水通路に受水導入し、前記弁の処理水通路の他端に有る再出孔は、前記弁が処理水ストレート位置にある時に前記弁箱の処理水ストレート用出水口に連通し、前記弁が処理水シャワー位置にある時に処理水シャワー用出水口に連通し、前記弁が逆洗位置にある時に前記弁箱の逆洗排水口に連通して出水させる位置に分散配置されていることを特徴とする水処理器用の切替え弁装置。
【発明の詳細な説明】
【０００１】
〔産業上の利用分野〕
本発明は、水供給栓の先端と浄水器、軟水器、その他の水処理器とに接続して、水供給栓から供給される水の流れを切り換える弁装置に関する。
【０００２】
〔従来の技術〕
一般に、水道水などの水を処理して浄水等を得る水処理器に使用される水切り替え弁装置においては、原水ストレート、原水シャワー、それに浄水ストレートの三様の水を吐水させているが、浄水シャワーを吐水させる弁装置はない。
【０００３】
〔発明の解決しょうとする課題〕
浄水器等の水処理器の普及が高まるつれ、使用者より「浄水シャワー」があって欲しいとの要望が強まって来た。現今における使用者の浄水等処理水の使用法は、ただ単に飲水用や料理用の為だけにとどまらず、米や野菜、鮮魚鮮肉や豆腐、めん類等の食品の洗浄に及んでいる。洗浄にシャワー様吐水が要望されることは推測の域である。
【０００４】
本発明は、このような要望に答えるためになされたもので、構造が簡単で、従来のものよりコストを増加させることなく、尚資源も増量使用することなく、浄水等の処理水シャワー様吐水の出来る弁装置を供給し、水処理器使用者に、原水ストレート、原水シャワー、処理水ストレートに加えて、第４の生活水である処理水シャワーでの生活を供給することを目的としたものである。
【０００５】
〔課題を解決する為の手段〕
前記課題を解決するために本発明に係る処理水シャワー用切り替え弁装置は、水供給栓と水処理器とに接続して、水供給栓から供給される水の流れを切り替える弁装置であって、上面に前記水供給栓に接続される原水流入口が設けられ、中央部に水平な軸線を有する円形状の弁室を設け且つ、取水口、水処理器へ給水する給水口、水処理器より受水する受水口、原水ストレート用出水口、原水シャワー用出水口、処理水ストレート用出水口、処理水シャワー用出水口および逆洗排水口を有する弁箱と、前記弁箱の弁室に回動自在に設けられ、前記弁箱の取水口と常時連通する取水孔、この取水孔と連通して原水を内部に常時流通させる原水流通部を有し且つ、前記原水流通部と連通した給水孔、前記原水流通部とを管壁にて分離して設けられた処理水通路、その処理水通路の端部に設けられた再入孔および再出孔を有する筒状の弁と、この弁に連結して弁を回動操作するハンドルとを具備し、前記弁は前記ハンドルに回動されて、前記水供給栓から供給される水を前記弁箱の原水ストレート用出水口より出水させる原水ストレート位置と、前記水を原水シャワー用出水口より出水させる原水シャワー位置と、前記水を水処理器に順方向に流して前記弁箱の処理水ストレート用出水口および処理水シャワー用出水口より出水させる処理水ストレート位置および処理水シャワー位置と、前記水を水処理器に逆方向に逆流して前記弁箱の逆洗排水口より排水する逆洗位置とに夫々位置され、前記弁の取水孔は、前記位置で常時前記弁箱の取水口と連通し、前記弁の原水流通部は、前記位置で常時原水を流通し、前記原水流通部連通した給水孔は、前記弁が原水ストレート位置にある時に前記弁箱の原水ストレート用出水口に、前記弁が原水シャワー位置にある時に前記弁箱の原水シャワー用出水口に、前記弁が処理水ストレート位置および処理水シャワー位置にある時に前記弁箱の（水処理器に接続している）給水口に、逆洗位置にある時に前記弁箱の（水処理に接続している）受水口に原水を給水する位置に夫々分散配置され、前記弁の処理水通路の端部に有る受水孔は、前記弁が処理水ストレート位置および処理水シャワー位置にある時に前記弁箱の受水口に連通し、逆洗位置にある時に前記弁箱の給水口に連通して処理水通路に受水導入し、前記弁の処理水通路の他端に有る再出孔は、前記弁が処理水ストレート位置にある時に前記弁箱の処理水ストレート用出水口に連通し、前記弁が処理水シャワー位置にある時に処理水シャワー用出水口に連通し、前記弁が逆洗位置にある時に前記弁箱の逆洗排水口に連通して出水させる位置に分散配置されていることを特徴とする。
【０００６】
〔作用〕
「処理水シャワー」の位置にハンドルを回動することにより、弁箱１より「処理水シャワー」を吐水させる。
【０００７】
ハンドル３を「処理水シャワー」位置にした場合の水は弁箱１の、取水口２４より入れし──給水口２９より水処理器７０へ給水し──再び水処理器７０より──弁箱１の受水口３０に受水し──処理水シャワー用出水口２７より出水する経路である。
【０００８】
ハンドル３を「処理水シャワー」位置にした場合で弁２の係る水の経路は、弁２の取水孔５１より弁内の原水流通部４１へ原水を導入し──給水孔５４より──水処理器７０の入口７１へ給水し、その水処理器７０の出口７２より──再入孔５７へ受水し──前記弁２の原水流通部４１内を管壁４８にて区画して設けた処理水通路４３を通過させ──処理水シャワー再出孔４６より前記弁箱１の処理水用出水口２７へ送水する。
【０００９】
このような構成の本発明は、弁内に原水を導入する原水流通部４１を構成し、その原水流通部４１とを管壁４８にて分離した処理水通路４３を設けて、処理水を流通させて出水する構成により、小型で簡単な構成の形態で「処理水シャワー」を付加することが出来る。
【００１０】
〔実施例〕
以下、本発明の実施例を図面を参照して説明する。本発明の実施例について、図１ないし図３２を参照して説明する。図１は図６および図７のＡ−Ａ線に沿う断面図である。
【００１１】
図中１は弁箱、２は弁、３はハンドルである。
【００１２】
弁箱１について述べる。弁箱１は上面部が開放され、内部に弁室４が設けられている。弁室４は水平な軸線を中心とする円筒形をなすもので、上部に取水口２４を設け、その上部開放部には逆流防止弁１０が設けられ、流入口２１に対しての逆流を防止している。
【００１３】
弁箱１の弁室４を囲む壁部の側部には水処理器７０へ送水する給水口２９と水処理器７０を通過した処理水を受水する受水口３０と逆洗排水口３１が形成され、また前記壁部の下側部には原水ストレート用出水口２５、原水シャワー用出水口２６処理水シャワー用出水口２７が設けられ、また弁室４の円筒形軸線上の端部には処理水ストレート用出水口２８が設けられており、これら各口は弁室４の内部に連通している。
【００１４】
弁箱１の流入口２１は、逆流防止弁１０と対応する止水座を下面にて役割し、上面でパッキン座の役割りをなすプレート９と、その上面のパッキン８で形成されている。
【００１５】
外部には押え筒７が螺合されており、また押え筒７の内部に支持筒６が設けられ、この支持筒６は水供給栓５の先端の凸部を基にして水供給栓５に締着されている。
【００１６】
なお、弁室４の内周面で弁箱１の出水口２５、２６、２７および排水口３１の外周には弁２とのシールを図るためのシール部材１３が設けてある。
【００１７】
弁箱１の下面部の外部には円形のシャワー・キャツプ１４が螺合され、このシャワー・キャツプ１４には多数の細孔が分散して形成されている。またシャワー・キャツプの上部には弁箱１の弁室４に連通するシャワー用出水口２６および２７が形成されている。
【００１８】
弁２について述べる。
【００１９】
弁２は円筒形をなし、内部に原水流通部４１を有している。その原水流通部４１と連通し、弁箱１の取水口２４と常時連通する取水孔５１、適宜弁箱１の出水口２５、２６および給水口２９、受水口３０へ原水を給水する給水孔５２、５３、５４、５５を有し、さらに、水処理器７０を通過して来た処理水を受水する再入孔５６、５７、５８を一端に有し、他端に処理水再出孔４５、４６、４７を有して処理水通路４２、４３、４４を構成している。
【００２０】
弁２は弁箱１の弁室４の内部に挿入され、弁周壁が弁室４に回動自在に支承される。
【００２１】
弁２の一端部は室４の側端部の浄水ストレート用出水口２８の壁面に支承され、他端は弁室４に螺合した支持環１７に支承されている。
【００２２】
弁２、支持環１７から突出した端部にはハンドル３が固定されている。
【００２３】
弁２はハンドル３により水平な軸線を中心にして半回転するうちに後述する、処理水ストレート、処理水シャワー、原水シャワー、原水ストレート、逆洗の各位置を経過する。
【００２４】
前記弁２の給水孔５２は、ハンドル３の回動により、原水ストレート位置にあるときには、前記原水流通部４１の原水を弁箱１の原水ストレート用出水口２５へ連通給水し、弁２の給水孔５３は、ハンドル３が原水シャワー位置にあるときに、原水流動部４１の原水を弁箱１の原水シャワー用出水口２６へ連通給水し、弁２の給水孔５４は、ハンドル３が処理水シャワー位置にあるときに、原水流通部４１の原水を弁箱１の給水口２９に連通して給水し、弁２の給水孔５５は、ハンドル３が処理水ストレート位置にあるときには、原水流通部４１の原水を弁箱１の給水口２９に連通して給水し、弁２の給水孔５３はハンドルが逆洗位置にあるときには、原水流動部４１の原水を弁箱１の受水口３０に連通して給水する。弁２の給水孔５３は原水シャワー位置と逆洗位置の２度給水の役割をなす位置に設けられている。
【００２５】
ハンドル３の回動による処理水ストレート位置で、前記弁２の原水流通部４１内を管壁４８にて区画して形成された、処理水通路４２は、弁箱１の受水口３０より処理水を、一端に設けられた弁２の再入孔５６で受水し、他端にて弁箱１の処理水ストレート用出水口２８と連通する弁２の再出孔４５へ通過送水する処理水ストレート位置での処理水通路である。
【００２６】
ハンドル３の回動による処理水シャワー位置で、前記弁２の原水流通部４１内を管壁４８にて区画して形成された、処理水通路４３は、弁箱１の受水口３０より処理水を、一端に設けられた弁２の再入孔５７で受水し、他端にて弁箱１の処理水シャワー用出水口２７と連通する弁２の再出孔４６へ通過送水する処理水シャワー位置での処理水通路である。
【００２７】
ハンドル３の回動による逆洗位置で、前記弁２の、原水流通部４１内を管壁４８にて区画して形成された、処理水通路４４は、弁箱１の給水口２９と連通して逆洗処理水を、一端に設けられた弁２の再入孔５２で受水し、他端にて弁箱１の逆洗用排水口３１と連通する弁２の再出孔４７へ通過送水する逆洗位置での処理水通路である。
【００２８】
弁２の構成の説明を加える。弁２の内側の端部には弁箱１の出水口２８が有り、弁２の再出孔４５と嵌合している。
【００２９】
弁２には、軸方向において、弁箱１の給水口２９と処理水シャワー用出水口２７に面する第１の区分と、弁箱１の排水口３１と原水ストレート用出水口２５に面する第２の区分と、弁箱１の取水口２４に面する第３の区分と、弁箱１の受水口３０および原水シャワー用出水口２６に面する第４の区分とが設定され、第一の区分は図３におけるＢ−Ｂ線に沿う断面であり、これを図１０、図１５、図１９、図２３、図２７に示すように給水孔５５、５４および再出孔４６さらに逆洗受水孔５８が弁２の周方向に分散して設けられ、第２の区分は図３におけるＣ−Ｃ線に沿う断面であり、これを図９、図１４、図１８、図２２、図２６に示すように原水ストレート用給水孔５２および逆洗再出孔４７が周方向に分散して設けられ、第３の区分は、図３のＤ−Ｄ線に設う断面であり、これを図８、図１３、図１７、図２１、図２５に示すように取水孔５１が設けられており、第４の区分は、図３におけるＥ−Ｅ線に沿う断面であり、これを図１１、図１６、図２０、図２４、図２８に示すように給水孔５３および処理水シャワー用再入孔５７と処理水ストレート用再入孔５６が弁２の周方向に分散して設けられている。
【００３０】
これら各区分での給水孔、再入孔および再出孔の数および位置関係は、弁２の各操作において必要な経路を構成するように設定されている。１５は弁２につけたＯリングである。
【００３１】
切換え弁装置は家庭用または業務用として使用する。
【００３２】
図６に示すように弁箱１の給水口２９を水処理器７０の入口７１にホースなどを介して接続し、弁箱１の受水口３０を水処理器７０の出口７２にホースなどを介して接続する。
【００３３】
このように構成される本発明の実施例では、処理水ストレート位置にあるときには弁２は図８、図９、図１０、図１１、図１２、図２９の位置にあり、これを水の経過をもって説明する。操作レバーが処理水ストレート位置にあるときには、図８に示すように、水供給栓５より供給された水は、流入口２１にてスプリング１２の力で押し上げられて逆流を防止している逆流防止弁１０を押し下げて、弁箱１内の逆流防止弁室２２に流入し、弁箱１の取水口２４を経て弁２の取水孔５１を通過して原水流通部４１に流入し、図１０に示す弁２の給水孔５５より弁箱１の給水口２９へ送出し、２９と連通した弁箱１の送水ノズル３４より図示しないホース等を介して水処理器７０の入口７１より水処理器７０を入水通過し、図１１に示すごとく、水処理器７０の出口７２より出水し、図示せぬホースを介して弁箱１の受水口ノズル３５に受水し、ノズル３５に連通した弁箱１の受水口３０へ入水し、次に弁２の再入孔５６を経て弁２の処理水通路４２へ入水し、図１２に示す弁２の再出孔４５より弁箱１の処理水ストレート用出水口２８へ入水して、出水口２８と連通した弁箱１の処理水ストレート用吐水口３３より吐水する。
【００３４】
【００３４】
操作レバーが処理水シャワー位置にあるときには、弁２は図１３、図１４、図１５、図１６の位置にあり、図１３に示すように、先述した処理水ストレート時の如く、水供給管５より供給された水は、弁箱１の、流入口２１へ到り逆流防止弁１０を押し下げて逆流防止弁室２２に入水し、さらに取水口２４より弁２の、取水孔５１を経て、原水流通部４１に入水し、図１５に示すように、原水流通部４１に連通した給水孔５４より、弁箱１の、給水口２９へ送水され、給水口２９に連通した送水ノズル３４より図示せぬホース等を介して水処理器７０の入口７１より水処理器７０を入水通過し、図１６に示すように、水処理器７０の出口７２より出水し、図示せぬホースを介して、弁箱１の、受水口３０に連通した受水ノズル３５へ入水し、さらに受水口３０より弁２の、再入孔５７を経て、処理水通路４３へ入水し、図１５に示す、弁２の再出孔４６より弁箱１のシャワー用出水口２７より出水し、シャワー、キャツプ１４の細孔吐水孔１４ａよりシャワー様に吐水する。
【００３５】
操作レバーを原水シャワー位置に操作したときには、弁２は、図１７および図１８、図１９、図２０、図３０、図３２に示す位置に回動されて、図１７に示すごとく、水供給管５より供給される水は、前述した処理水ストレート位置処理水シャワー位置と同様の経過にて、弁箱１の、流入口２１、逆流防止弁室２２、取水口２４を経て、弁２の、取水孔５１、原水流通部４１に至り、図２０に示すように弁２の給水孔５３より弁箱１の出水口２６より出水し、シャワーキャツプ１４の吐水孔１４ａよりシャワー様に吐水する。図１８、図１９、図２０、図３０、図３２に示すように、この位置での弁箱１の出水口群内の原水シャワー用出水口２６以外の出水口２５、２７、２８、および排水口３１は弁２とシール材１３により閉ざされており、図３２で示すように弁２の再入孔５８および再出孔４７には入水がなく、したがって弁箱１の処理シャワー用出水口２７および原水ストレート用出水口２５よりの出水はない。
【００３６】
操作レバーを原水ストレート位置に操作したときには、図２１に示すように、水は前述した処理水ストレート、処理水シャワー、原水シャワーと同様の経路を経て弁２内の原水流通部４１に至り、図２２に示すように、弁２の、原水流通部４１に連通した給水孔５２より弁箱１の出水口２５より出水し、原水ストレート用吐水口３２より吐水する。
【００３７】
操作レバーを逆洗位置に操作したときには、弁箱１内の弁２の位置は図２５、図２６、図２７、図２８、図３１に示す位置にあり、水は図２５に示す如く、水供給管５、弁箱１の、流入口２１、逆流防止弁室２２、取水口２４の経路で弁２の、取水孔５１より原水流通部４１へ入水し、図２８に示すごとく弁２の、原水流通部４１に連通した給水孔５３より、弁箱１の受水口３０へ逆に流入し、受水口ノズル３５より逆に流出し、ホースを介して水処理器７０の出口７１に逆に流入し、水処理器７０を逆方向に通過して逆流洗浄処理し、図２７に示すように水処理器７０の入口７１より出水して、ホースを介して弁箱１の、送水ノズル３４に入水し、給水口２９を経て弁２の、再入孔５８より、処理水通路４４へ流入し、図２６に示すように弁２の、処理水通路４４と連通した再出孔４７より弁箱１の排水口３１へ排水し、排出ノズル３６より吐水する。
【００３８】
〔発明の効果〕
以上説明したように本発明によれば、弁内に原水を取り入れる弁内の原水流通部とその原水流通部と管壁にて分離した処理水通路を設けて、水処理器より再入する処理水を通過送水させて再出する、一体成形で出来上る弁の採用により、小型で簡単な構成の形態で「処理水シャワー」を吐水出来、ハンドルの４５°の切り替え角度のワンタッチで、原水ストレート、原水シャワー、処理水ストレートに加えて「処理水シャワー」を蛇口の先より取り出して使用する水生活を提供できる。
【図面の簡単な説明】
【図１】図５、図６に示すＡ−Ａ線に沿う断面図。
【図２】本発明の実施例に係る切り替え弁装置の正面図。
【図３】本発明の実施例に係る切り替え弁装置の裏面図。
【図４】本発明の実施例に係る弁装置の右側面図。
【図５】本発明の実施例に係る弁装置の左側面図。
【図６】本発明の実施例に係る弁装置の正面図。
【図７】本発明の実施例に係る弁装置の底面図。
【図８】処理水ストレート位置での図３Ｄ−Ｄ線に沿った断面図。
【図９】処理水ストレート位置での図３Ｃ−Ｃ線に沿う断面図。
【図１０】処理水ストレート位置での図３Ｂ−Ｂ線に沿った断面図。
【図１１】処理水ストレート位置での図３のＥ−Ｅ線に沿う断面図。
【図１２】処理水ストレート位置での図５、図６のＡ−Ａ線に沿う断面図。
【図１３】処理水シャワー位置での図３のＤ−Ｄ線に沿う断面図。
【図１４】処理水シャワー位置での図３のＣ−Ｃ線に沿う断面図。
【図１５】処理水シャワー位置での図３のＢ−Ｂ線に沿う断面図。
【図１６】処理水シャワー位置での図３のＥ−Ｅ線に沿う断面図。
【図１７】原水シャワー位置での図３Ｄ−Ｄ線に沿う断面図。
【図１８】原水シャワー位置での図３Ｃ−Ｃ線に沿う断面図。
【図１９】原水シャワー位置での図３Ｂ−Ｂ線に沿う断面図。
【図２０】原水シャワー位置での図３のＥ−Ｅ線に沿う断面図。
【図２１】原水ストレート位置での図３のＤ−Ｄ線に沿う断面図。
【図２２】原水ストレート位置での図３のＣ−Ｃ線に沿う断面図。
【図２３】原水ストレート位置での図３のＢ−Ｂ線に沿う断面図。
【図２４】原水ストレート位置での図３のＥ−Ｅ線に沿う断面図。
【図２５】逆洗位置での図３のＤ−Ｄ線に沿う断面図。
【図２６】逆洗位置での図３のＣ−Ｃ線に沿う断面図。
【図２７】逆洗位置での図３のＢ−Ｂ線に沿う断面図。
【図２８】逆洗位置での図３のＥ−Ｅ線に沿う断面図。
【図２９】処理水ストレート位置での図４のＦ−Ｆ線に沿う断面図。
【図３０】原水シャワー位置での図４のＦ−Ｆ線に沿う断面図。
【図３１】逆洗位置での図４のＦ−Ｆ線に沿う断面図。
【図３２】原水シャワー位置での図６、図７のＡ−Ａ線に沿う断面図。
【符号の説明】
１…弁箱
２…弁
３…ハンドル
４…弁室
５…水供給栓
６…支持筒
７…押え筒
８…パッキン
９…プレート
１０…逆流防止弁
１１…逆流防止座
１２…スプリグ
１３…シール材
１４…シャワー・キャツプ
１５…Ｏリング
１６…弁蓋
１７…支持環
１８…ボルト
１９…ハンドル、キャプ
２１…流入口
２２…逆流防止弁室
２４…取水口
２５…原水ストレート用出水口
２６…原水シャワー用出水口
２７…処理水シャワー用出水口
２８…処理水ストレート用出水口
２９…給水口
３０…受水口
３１…排水口
３２…原水ストレート吐水口
３３…処理水ストレート吐水口
３４…送水ノズル
３５…受水ノズル
３６…排水ノズル
３７…弁室
５１…取水孔
５２…原水ストレート給水孔
５３…原水シャワー給水孔
５４…処理水シャワー用給水孔
５５…処理水ストレート用給水孔
５６…処理水ストレート再入口
５７…処理水シャワー再入口
５８…逆洗再入口
４１…原水流通部
４２…（処理水ストレート用）処理水通路
４３…（処理水シャワー用）処理水通路
４４…（逆洗用）処理水通路
４５…処理水ストレート再出孔
４６…処理水シャワー再出孔
４７…逆洗再出孔
４８…管壁
７０…水処理器
７１…水処理器入口
７２…水処理出口
１４ａ…シャワー・キャツプ細孔吐水孔
【図１】
0003635417.tif 000002
【図２】
0003635417.tif 000003
【図３】
0003635417.tif 000004
【図４】
0003635417.tif 000005
【図５】
0003635417.tif 000006
【図６】
0003635417.tif 000007
【図７】
0003635417.tif 000008
【図８】
0003635417.tif 000009
【図９】
0003635417.tif 000010
【図１０】
0003635417.tif 000011
【図１１】
0003635417.tif 000012
【図１２】
0003635417.tif 000013
【図１３】
0003635417.tif 000014
【図１４】
0003635417.tif 000015
【図１５】
0003635417.tif 000016
【図１６】
0003635417.tif 000017
【図１７】
0003635417.tif 000018
【図１８】
0003635417.tif 000019
【図１９】
0003635417.tif 000020
【図２０】
0003635417.tif 000021
【図２１】
0003635417.tif 000022
【図２２】
0003635417.tif 000023
【図２３】
0003635417.tif 000024
【図２４】
0003635417.tif 000025
【図２５】
0003635417.tif 000026
【図２６】
0003635417.tif 000027
【図２７】
0003635417.tif 000028
【図２８】
0003635417.tif 000029
【図２９】
0003635417.tif 000030
【図３０】
0003635417.tif 000031
【図３１】
0003635417.tif 000032
【図３２】
0003635417.tif 000033